(57)【要約】【課題】携帯型オーディオプレーヤのハンズフリー通話機能を拡張して、より高い利便性が得られるようにする。【解決手段】携帯電話装置１が受けた留守番電話のメッセージの音声情報を、ハンズフリー通話に使用するブルートゥースの通信を介して、携帯電話装置１から携帯型オーディオプレーヤ２に対して送信させる。携帯型オーディオプレーヤ２では、受信したメッセージの音声情報を、自身が備える記憶部２３に記憶させる。記憶部２３は、本来、多数のオーディオデータを記憶するために相応の記憶容量を有する。【選択図】図２
2007104184.tif 000002
【特許請求の範囲】
【請求項１】
所定以上の記憶容量を有し、情報が記憶される記憶手段と、
所定の無線通信規格に応じた無線通信を行うための無線通信手段と、
上記無線通信手段による接続が確立されているとされる携帯電話装置が留守番電話のメッセージ音声を受け付けるべき状態になったときには、上記携帯電話装置にて受信取得された上記留守番電話のメッセージ音声の情報が上記携帯電話装置から送信されるように制御する送信制御手段と、
上記無線通信手段により受信した、上記携帯電話装置から送信された上記留守番電話のメッセージ音声の情報を上記記憶手段に記憶させるメッセージ情報記憶制御手段と、
を備えることを特徴とする情報記憶装置。
【請求項２】
上記メッセージ音声以外の所定の情報を取得する情報取得手段と、
上記情報取得手段により取得した情報を上記記憶手段に記憶させる取得情報記憶制御手段と、
上記記憶手段に記憶された情報が再生出力されるための制御処理を実行する再生手段とを備えている、
ことを特徴とする請求項１に記載の情報記憶装置。
【請求項３】
所定以上の記憶容量を有する記憶手段を備える情報記憶装置の情報処理方法において、
所定の無線通信規格に応じた無線通信を行うための無線通信手順と、
上記無線通信手順による接続が確立されているとされる携帯電話装置が留守番電話のメッセージ音声を受け付けるべき状態になったときには、上記携帯電話装置にて受信取得された上記留守番電話のメッセージ音声の情報が上記携帯電話装置から送信されるように制御する送信制御手順と、
上記無線通信手順により受信した、上記携帯電話装置から送信された上記留守番電話のメッセージ音声の情報を、上記記憶手段に記憶させる記憶制御手順と、
を実行することを特徴とする情報処理方法。
【発明の詳細な説明】
【技術分野】
【０００１】
本発明は、例えば主としてはオーディオ（音声）などの情報を記憶する情報記憶装置に関するものである。
【背景技術】
【０００２】
フラッシュメモリなどの半導体記憶素子、あるいはハードディスクなどを記憶媒体として内蔵する、携帯型のオーディオ記録再生装置（携帯型オーディオプレーヤ）が普及している。このような携帯型オーディオプレーヤでは、例えばパーソナルコンピュータなどからオーディオデータを転送させて内部の記憶媒体に記憶させることができるようになっている。記憶媒体の種類や容量などにもよるが、オーディオデータの曲数としては、数十曲から数千曲を記憶することができる。そして、このようにして記憶されたオーディオデータを再生して聴くときには、例えば本体のオーディオ出力端子に対してイヤフォン（あるいはスピーカ）などを接続するようにされる。また、携帯型オーディオプレーヤにはマイクロフォンを内蔵したものも普及している。このようなマイクロフォン内蔵のものであれば、周囲の音声を収音して、オーディオデータとして記憶させることができるので、例えば会議などを録音するのに役立つ。
【０００３】
このようにして、携帯型オーディオプレーヤが、音声の再生出力機能と、収音音声録音のためのマイクロフォンを内蔵していることを利用して、ここ最近においては、携帯型オーディオプレーヤに、いわゆるハンズフリー通話の機能を与えることが行われている。
現状における一般的なハンズフリーのための構成としては、携帯型オーディオプレーヤと携帯電話装置とを無線通信により接続するようにされる。また、この無線通信には、Bluetoothの規格が採用されるのが一般的である。そして、このBluetoothにおいて規定されるハンズフリープロファイル、及びヘッドセットプロファイルを利用して、携帯電話装置と携帯型オーディオプレーヤとを連携させることで、ユーザは、携帯電話装置と電話回線で接続された相手方との通話を、携帯型オーディオプレーヤのイヤフォンとマイクロフォンを利用して行うことが可能になる。これにより、ユーザは、携帯電話を手に持つことなく、両手が空いた状態で相手方との会話が行える。つまり、ハンズフリー通話が可能になる。
【０００４】
【特許文献１】特開２００５−６３１１６号公報
【発明の開示】
【発明が解決しようとする課題】
【０００５】
本願発明は、上記のようにして携帯型オーディオプレーヤがハンズフリー通話のために備える機能の構成を拡張して、これまでに無いとされる機能を提供できるようにすることで、ハンズフリー通話機能のために備える構成を有効に活用し、また、ユーザにとっても、より高い利便性が得られるようにすることを目的とする。
【課題を解決するための手段】
【０００６】
そこで本発明は、上記した課題を考慮して、情報記憶装置として次のように構成する。
つまり、所定以上の記憶容量を有し、情報が記憶される記憶手段と、所定の無線通信規格に応じた無線通信を行うための無線通信手段と、この無線通信手段による接続が確立されているとされる携帯電話装置が留守番電話のメッセージ音声を受け付けるべき状態になったときには、携帯電話装置にて受信取得された留守番電話のメッセージ音声の情報が携帯電話装置から送信されるように制御する送信制御手段と、無線通信手段により受信した、携帯電話装置から送信された留守番電話のメッセージ音声の情報を記憶手段に記憶させるメッセージ情報記憶制御手段とを備えて情報記憶装置を構成することとした。
【０００７】
上記構成によると、本願発明の情報記憶装置は、無線通信により携帯電話装置と接続可能とされている。そして、携帯電話装置との接続が確立されている状態において、携帯電話装置のほうで、留守番電話のメッセージ音声（携帯電話に電話をかけてきた相手が、留守番電話に残すべきメッセージ（用件）として話した音声）を受け付けるべき状態になったとすると、この留守番電話のメッセージ音声の情報を、携帯電話装置から上記無線通信により送信させる。情報記憶装置側では、受信したメッセージの音声の情報を記憶手段に対して記憶保持させる。ここで、情報記憶装置が備える記憶手段は、一定以上の記憶容量を有していることで、上記メッセージ音声の情報についての記憶可能なサイズを比較的大きく取ることが可能である。つまり、比較的長時間のメッセージ音声を記憶することが可能となる。
【発明の効果】
【０００８】
このようにして本発明は、留守番電話として残すべきメッセージ音声について比較的長時間の記憶（録音）が可能になり、それだけ充実した高い利便性の留守番電話機能を提供することが可能になる。
【発明を実施するための最良の形態】
【０００９】
以下、本願発明の実施の形態について説明を行う。本実施の形態としては、本願発明の情報記憶装置を、携帯型オーディオプレーヤに適用する。本実施の形態の携帯型オーディオプレーヤは、携帯電話装置との無線通信を伴うハンズフリー通話の機能が付加されている。
図１は、携帯電話装置１と、本実施の形態の携帯型オーディオプレーヤ２とから成る、ハンズフリー通話システムを示している。この図においては、携帯電話装置１と携帯型オーディオプレーヤ２の内部構成例を示している。
【００１０】
先ず、携帯電話装置１から説明する。
この場合の携帯電話装置１は、アンテナ１０、ＲＦ部１１、ベースバンド部１２、スピーカ（受話器）１３、マイクロフォン（送話器）１４、制御部１５、及びブルートゥースインターフェイス部１６、操作部１７、表示部１８を備える。
無線電話回線網による電波としての信号はアンテナ１０にて受信されてＲＦ部１１に入力される。ＲＦ部１１では、入力された受信信号から所定の周波数帯域の信号を抽出して、ベースバンド部１２に出力する。
ベースバンド部１２では、ＲＦ部１１から入力されてきた信号について、所定の復調処理等を行ってベースバンド信号に変換する。そして、このベースバンド信号から、受話音声としてのオーディオ信号を抽出して、所定の信号処理などを施したうえで、最終的にスピーカ１３から受話音声として出力させる。
【００１１】
また、マイクロフォン１４では、例えば発話された音声を収音して電気信号に変換してベースバンド部１２に出力する。ベースバンド部１２は、マイクロフォン１４から入力された電気信号をオーディオ信号として得る。そして、このオーディオ信号について、所要の変調処理、多重化処理等を施し、ベースバンド信号としてＲＦ部１１に出力する。ＲＦ部１１は、入力されたベースバンド信号を、電波送信に適合した所定周波数帯域の信号に変換してアンテナ１０から送信出力させる。
【００１２】
制御部１５は、ＣＰＵ(Central Processing Unit)、ＲＯＭ、ＲＡＭなどにより構成されるマイクロコンピュータを備え、携帯電話装置１における各種制御処理を実行する。
操作部１７は、携帯電話装置１において備えられる各種の操作子と、これらの操作子に対して行われた操作に応じてコマンド信号を生成して出力する部位とを一括して示すものである。入力されたコマンド信号に応じて、制御部１５は所要の制御処理を実行する。
表示部１８は、制御部１５の表示制御により、そのときの動作状態などに応じて所要の内容の表示が行われる。
【００１３】
ブルートゥースインターフェイス部１６は、ブルートゥース（Bluetooth）の規格に従った無線通信機能を実現するためのハードウェアを含む機能部位を示す。
ブルートゥース（Bluetooth）は、周知のようにして、BluetoothSIG(Special Interest Group)により標準化されている、相互接続性を有した近距離無線通信のための規格であり、２．４ＧＨｚ帯（ISM(Industrial Science Medical)帯）を使用して、ブルートゥースに対応した通信機能を有する他のデバイスと通信する。
【００１４】
続いて、携帯型オーディオプレーヤ２の内部構成について説明する。この携帯型オーディオプレーヤ２は、例えば片方の手のひらで持ち運べる程度の小型のサイズであり、その主たる機能は、比較的大きい容量の記憶部２３を備えることで、多数の楽曲などのオーディオデータを記憶保持可能とされたうえで、このようにして記憶部２３に記憶されたオーディオデータを再生してオーディオ信号として再生出力することである。
【００１５】
この図に示す携帯型オーディオプレーヤ２は、データ入出力端子２１、データインターフェイス２２、記憶部２３、音声処理部２４、音声出力端子２５、マイクロフォン２６、制御部２７、ブルートゥースインターフェイス部２８を備える。
データインターフェイス２２は、所定のデータ通信規格に対応したデータの送受信を実現するためのハードウェア構成を含む機能回路部位であり、このデータインターフェイス２２と接続されるデータ入出力端子２１の実際としては、上記データ通信規格に対応したコネクタ形状、ケーブル仕様などに従って構成される。このデータインターフェイス２２（及びデータ入出力端子２１）が対応する規格としては特に限定されるものではないが、現状であればＵＳＢ（Universal Serial Bus）、ＩＥＥＥ１３９４などを挙げることができる。また、ここでのデータインターフェイス規格として例えば近距離無線によるデータ通信規格を採用することも可能である。この場合には、データ入出力端子２１は不要となる。このような無線のデータ通信規格として、後述するハンズフリー通話機能に対応して設けられるブルートゥースを採用することとすれば、データインターフェイス２２とブルートゥースインターフェイ２８とを共通化することができる。
なお、記憶部２３として実際に採用される記憶デバイスとしては、電源供給が停止されてもデータが消失しない不揮発性を有するものであれば特に限定されるものではないが、現状においては、フラッシュメモリあるいはハードディスクが広く採用されている状況にある。
【００１６】
携帯型オーディオプレーヤ２の記憶部２３に対してオーディオデータを記憶させるためのデータの転送は、例えば周知のようにしてパーソナルコンピュータと連携して行われるようにすればよい。
つまり、例えば所定のオーディオデータ管理用のアプリケーションソフトウェアが動作するパーソナルコンピュータと、携帯型オーディオプレーヤ２とを、上記データ入出力端子２１経由でケーブルなどにより接続する。これによりパーソナルコンピュータ側のオーディオデータ管理用アプリケーションと、携帯型オーディオプレーヤ２側とがデータインターフェイスを介して連携可能となる。オーディオデータ管理用のアプリケーションソフトウェアは、例えば楽曲単位で、パーソナルコンピュータのハードディスクなどに記憶されているオーディオデータを管理するようにされている。そして、オーディオデータ管理用アプリケーションソフトウェアと携帯型オーディオプレーヤ２の連携が保たれている状態において、このオーディオデータ管理用アプリケーションソフトウェアが保存管理するオーディオデータを、データインターフェイス２２を介して携帯型オーディオプレーヤ２側に転送する。
上記のようにして携帯型オーディオプレーヤ２に転送されてきたオーディオデータは、データインターフェイス２２にて受信取得され、制御部２７の制御に応じて、記憶部２３への書き込みが行われる。また、このようなオーディオデータの書き込みに応じては、記憶部２３に書き込まれたオーディオデータを楽曲単位で管理するための管理情報も更新される。この管理情報も、記憶部２３に対して記憶される。このようにして、携帯型オーディオプレーヤ２の記憶部２３には、例えば楽曲単位で管理される状態でオーディオデータが記憶されることになる。
【００１７】
また、楽曲としてのオーディオデータの再生出力は次のようにして行われる。
例えば操作部２７に対する楽曲再生の指定操作に応じて、オーディオデータ（楽曲）を指定しての再生のコマンドが得られたとすると、制御部２７は、記憶部２３に記憶されている指定のオーディオデータにアクセスして読み出しを実行し、読み出したオーディオデータを音声処理部２４に対して転送する。
記憶部２３から読み出されたオーディオデータを入力した音声処理部２４は、必要に応じて、圧縮符号化に応じた復号処理（伸長処理）、及びその他のオーディオ信号処理を施したうえで、最終的に音声出力端子２５に対して増幅したアナログ音声信号を出力する。この音声出力端子２５に対して例えばイヤドライバを接続することで、ユーザは、イヤドライバから出力される音を聞くことができる。
【００１８】
また、本実施の形態の携帯型オーディオプレーヤ２は、マイクロフォン２６を備えており、これにより、マイクロフォンにより収音した音声のオーディオデータを、記憶部２３に記憶させることができる。つまり、マイクロフォン２６により収音した音声を録音することができる。
マイクロフォン２６は収音した音声を電気信号として音声処理部２４に入力する。
音声処理部２４では、マイクロフォン２６から入力された電気信号を、オーディオデータに変換する。このオーディオデータは、制御部２７の制御によって記憶部２３に書き込みが行われて記憶されることになる。つまり、収音音声の録音が行われる。このようにして記憶部２３に記憶されたオーディオデータは、例えば操作部２９に対して録音開始の操作が行われてから、録音停止の操作が行われるまでの間の録音分に対応するものが、１つの楽曲データとして扱われて管理される。
【００１９】
制御部２７は、ＣＰＵ、ＲＯＭ、ＲＡＭなどにより構成されるマイクロコンピュータを備え、携帯電話装置１における各種制御処理を実行する。
操作部２９は、携帯型オーディオプレーヤ２において備えられる各種の操作子と、これらの操作子に対して行われた操作に応じてコマンド信号を生成して出力する部位とを一括して示す。入力されたコマンド信号に応じて、制御部２７は所要の制御処理を実行する。
表示部３０は、制御部２７の表示制御により、そのときの動作状態などに応じて所要の内容の表示が行われる。
ブルートゥースインターフェイス部２８は、ブルートゥースの規格に従った無線通信機能を実現するためのハードウェアを含む機能部位となる。
【００２０】
ここで、本実施の形態の携帯型オーディオプレーヤ２と、携帯電話装置１は、それぞれがブルートゥースインターフェイス部１６，２８を備えることで、ブルートゥースによる無線通信が可能とされる。
周知のようにして、ブルートゥースにおいては、プロファイルといわれるアプリケーションごとに定めた仕様が規定されている。このようなプロファイルのうちで、本実施の形態の携帯型オーディオプレーヤ２と携帯電話装置１は、少なくともハンズフリープロファイルとヘッドセットプロファイルに対応した構成を採る。これにより、携帯型オーディオプレーヤ２と携帯電話装置１がブルートゥースによる通信を行うことで、ハンズフリー通話機能が実現される。
【００２１】
このハンズフリー機能について簡単に説明しておく。
ハンズフリー通話のためには、先ず、携帯型オーディオプレーヤ２と携帯電話装置１との間での同期通信が確立した状態を形成したうえで、ペアリングといわれる認証を伴った通信が可能な状態とするようにされる。この状態に至るまでには、携帯型オーディオプレーヤ２と携帯電話装置１との間での交渉により、相互に使用可能なプロファイルが確認されていることから、携帯型オーディオプレーヤ２と携帯電話装置１は、ハンズフリープロファイル及びヘッドセットプロファイルにより規定される機能に対応した動作が可能となる。
【００２２】
上記のようにして、携帯型オーディオプレーヤ２と携帯電話装置１とのペアリングが確立されている状態の下で、携帯電話装置１に着信があったとすると、携帯電話装置１は、この着信を携帯型オーディオプレーヤ２に転送する。この転送を受けた携帯型オーディオプレーヤ２は、例えばこのときにオーディオデータを再生中だったのであれば、その再生を中断させたうえで、呼び出し音を出力するようにされる。そして、この呼び出し音に応じて、ユーザが、携帯型オーディオプレーヤ２の操作部２９に対してフックアップに相当する操作を行ったとすると、携帯型オーディオプレーヤ２は、この操作に応じて、携帯電話装置１に対して、フックアップを要求すると共に、ハンズフリープロファイル及びヘッドセットプロファイルに従った処理動作を要求する。これに応じて、携帯電話装置１は、着信に対するフックアップを行って電話回線を接続して通話可能な状態とする。また、携帯電話装置１は、電話回線を接続して以降、アンテナ１０、ＲＦ部１１、ベースバンド部１２の系により受信取得した受話音声のデータ（オーディオ信号）については、ブルートゥースインターフェイス１６から携帯型オーディオプレーヤ２に対して送信出力するようにされる。
携帯型オーディオプレーヤ２では、制御部２７の制御により、ブルートゥースインターフェイス２８により受信した受話音声のデータを音声処理部２４に転送して所定の信号処理を施し、音声出力端子２５から出力させる。これによりユーザは、携帯型オーディオプレーヤ２に接続したイヤフォンから受話音声を聴くことができる。
【００２３】
また、受話音声に応答した、ユーザの発話音声は、携帯型オーディオプレーヤ２のマイクロフォン２６により収音されて、オーディオ信号として音声処理部２４に入力される。ハンズフリープロファイル及びヘッドセットプロファイルによるブルートゥース通信の場合、携帯型オーディオプレーヤ２の制御部２７は、上記のようにして音声処理部２４に入力されたマイクロフォン２６による収音音声のオーディオ信号をブルートゥースインターフェイス２８により、携帯電話装置１に対して送信出力させる。
【００２４】
携帯電話装置１では、上記のようにして携帯型オーディオプレーヤ２からブルートゥースにより送信されてくるオーディオ信号を受信すると、例えば制御部１５の制御に従って、ベースバンド部１２に転送するようにされる。そして、ベースバンド部１２、ＲＦ部１１における処理を経て、アンテナ１０から送信させるようにする。つまり、送話音声の送信を行う。
【００２５】
このようにして、携帯型オーディオプレーヤ２と携帯電話装置１とを、ハンズフリープロファイル及びヘッドセットプロファイルによるブルートゥース通信で接続したことによっては、携帯電話装置の着信に対応して、携帯型オーディオプレーヤ２側に対する操作によりフックアップさせて電話回線を接続させることができる。そのうえで、携帯型オーディオプレーヤ２側で受話音声を聴き、また、送話音声を携帯型オーディオプレーヤ２側で収音させて携帯電話装置１により送信させることができる。つまり、携帯電話装置１をユーザが手に持つことなく、携帯型オーディオプレーヤ２を利用してのハンズフリー通話が行われる。
【００２６】
そのうえで、本実施の形態では、携帯電話装置１により留守番電話を受けるべきときには、留守番電話のメッセージ（受話音声）を携帯型オーディオプレーヤ２側により録音（記憶）できるように構成する。
携帯電話装置にあっても、一般には、留守番電話としての機能は備えられている。携帯電話装置の留守電機能としては、１つには、携帯電話の事業者が提供するサービスを挙げることができる。つまり、携帯電話装置に対して電話をかけてからの呼び出し音の出力が一定期間を経過したとすると、その携帯電話装置にかけていた電話は、携帯電話装置の事業者の留守番電話サービスに接続される。携帯電話装置にかけた電話のユーザは、ガイダンスに従って発話を行うことで音声によるメッセージを残す。携帯電話装置のユーザは、後から留守番電話サービスに対して電話をかけることで、この残されたメッセージを聴いて確認することができる。
また、もう１つの携帯電話装置１の留守番電話機能としては、携帯電話装置自体の機能として備えられるものがある。この留守番電話機能は、携帯電話装置に着信があってから一定期間を経過しても応答が無かった場合に、携帯電話装置１が自動的にフックアップしたうえで、予め用意した留守番電話のメッセージ（音声）を送信した後に、一定時間長の間、受話音声を受信して、内部のメモリに録音するようにして記憶させ、管理するものである。
このようにして、これまでにおいても携帯電話装置は留守番電話機能を備えていたのであるが、共通の欠点として、メッセージが残せる時間が長くても十数秒と、かなり短いことが挙げられる。このために、実際の留守番電話の利用においても、時間が短すぎて用件を完全に伝えることが難しいような状況となることがあった。
【００２７】
このような留守番電話でのメッセージの録音時間の制限は、どちらの留守番電話機能においても、メッセージを記憶可能な容量に制限があることが、その主な理由である。例えば、前者の事業者が提供する留守番電話サービスにあっては、留守番電話サービスの設備として記憶システムを用意し、この記憶システムにメッセージとしての音声のデータを記憶保存しておくようにされる。このために、１つのメッセージに割り当てる保存時間を制限しておかないと、記憶システムの容量が足りなくなって、充分な数のメッセージを保存しておくことができなくなる。
また、後者の携帯電話装置自体が備える留守番電話機能については、録音されたメッセージは、実際には、携帯電話装置内部に備えられるフラッシュメモリなどの不揮発性のメモリ素子に記憶されるようになっているのが、現状においては一般的である。しかしながら、フラッシュメモリは、ビット単価が高い部類の記憶デバイスであることから、コストの面で、相応に小さい記憶容量分しか実装することができない。このために、留守番電話のメッセージに割り当てることのできる容量も限られることになるので、どうしても、メッセージの録音時間を短くせざるを得ない。
【００２８】
これに対して、本実施の形態のようにして、携帯電話装置１で受けた留守番電話のメッセージ（受話音声）を、ハンズフリー通話のために無線通信で接続されている携帯型オーディオプレーヤ２により録音（記憶）するように構成すれば、上記したようなメッセージの時間制限は、これまでよりも緩いものとすることができる。
つまり、本実施の形態の携帯型オーディオプレーヤ２により、留守番電話のメッセージとしての音声を記憶することとなれば、記憶部２３を利用することになる。記憶部２３は、或る一定以上の数の楽曲としてのオーディオデータを記憶できるように、一定以上の記憶容量が確保されているのが通常である。このために、実際においては、或る程度の数の楽曲のオーディオデータが記憶されているとしても、相応の容量が残っていることが多い。つまり、携帯型オーディオプレーヤ２の記憶部２３において、留守番電話のメッセージを録音（記憶）するために１つの携帯電話装置あたりに割り当てられる容量は、これまでの留守番電話機能において留守番電話のメッセージを残しておくために１つの携帯電話装置あたりに割り当てられる容量よりも大きくすることが可能である。このことは、例えば留守番電話のメッセージを録音することとした場合にも、録音時間（つまり１メッセージあたりのデータサイズ）を厳しく制限する必要性が無いことを意味する。
このようにして、本実施の形態では、これまでよりも長い時間にわたって留守番電話のメッセージを録音することができる。これにより、本実施の形態のハンズフリー通話のシステムを利用するユーザとしては、例えば電話をかけてきた相手から、充分に余裕のある時間でもって、用件を伝えてもらうことができることになるもので、これまでよりも高い利便性が得られることになる。また、ハンズフリー通話機能がさらに有用に活用されることにもなる。
【００２９】
図２のフローチャートは、携帯電話装置１で受けた留守番電話のメッセージ（受話音声）を携帯型オーディオプレーヤ２により録音（記憶）するために、携帯電話装置１と携帯型オーディオプレーヤ２が実行する手順例を示している。なお、この図において携帯電話装置１が実行する手順は、携帯電話装置１の制御部１５におけるＣＰＵがＲＯＭなどに記憶されるプログラムを実行して得られる処理としてみることができる。同様にして、携帯型オーディオプレーヤ２が実行する手順は、携帯型オーディオプレーヤ２の制御部２７におけるＣＰＵがＲＯＭなどに記憶されるプログラムを実行して得られる処理としてもみることができる。
また、この図に示す手順は、携帯電話装置１と携帯型オーディオプレーヤ２とのペアリングによるブルートゥースの通信が確立されており、ハンズフリー通話が可能な状態のもとで実行されるべきものとなる。
【００３０】
ここで或る電話から携帯電話装置１に対する呼出が行われ、これに応じて、携帯電話装置１にて、ステップＳ１０１として示すように、呼出が着信したことが検知されたとする。すると、携帯電話装置１は、ステップＳ１０２により、この着信された呼出を転送するために、携帯電話装置１に対して、ブルートゥースの通信により送信するようにされる。
携帯型オーディオプレーヤ２は、携帯電話装置１から送信されてきた着信転送をステップＳ２０１により受信すると、続くステップＳ２０２の手順として示すように、呼び出しを実行する。つまり、音声出力端子２５から、呼び出し音の信号を出力させる。また、呼び出しの実行を開始させるのにあたって、呼び出しの着信転送が受信されるまでオーディオデータを再生出力させていたのであれば、このオーディオデータの再生を停止させてから、呼び出しを開始するようにされる。
【００３１】
携帯型オーディオプレーヤ２では、上記ステップＳ２０２としての呼び出しを実行しながら、ステップＳ２０３により、留守番電話への切り換えのための手動操作が行われたか否かについての判別を行う。ここで操作が行われないとして否定の判別結果が得られた場合には、ステップＳ２０４により、呼び出し音の出力回数が規定以上となったか否かについて判別する。つまり、呼び出しが継続されたまま、一定時間が経過したか否かの判別が行われる。ここで否定結果が得られればステップＳ２０２に戻るようにされる。
【００３２】
そして、呼び出しが実行されている途中で操作部２９に対して留守番電話に切り換えるための操作が行われた、あるいは、呼び出し回数（呼び出し時間）が一定以上に至ったとされると、ステップＳ２０３、あるいはステップＳ２０４にて肯定の判別結果が得られることとなって、ステップＳ２０５に移行する。
【００３３】
ステップＳ２０５においては、留守番電話モードを設定するようにされる。これにより、以降においては、携帯型オーディオプレーヤ２は、留守番電話モードが解除されるまで、留守番電話モードとしての動作を実行する。携帯型オーディオプレーヤ２による留守番電話モードの動作として、ここでは先ず、ステップＳ２０６により、携帯電話装置１との間での送話／受話音声の通信を要求する。
【００３４】
上記送話／受話音声の通信要求は、携帯電話装置１側にて、ステップＳ１０３により受信される。これに応じて、携帯電話装置１はステップＳ１０４によりフックアップの処理を実行して、呼び出しを行っている相手の電話との接続を行う。なお、この接続が行われたときには、先ず、例えば留守番電話にメッセージを残してもらうためのガイドの音声が、携帯電話装置１から相手の電話に対して送信されるようにする。このガイド音声は、携帯電話装置１にて用意したものを送信するようにしてもよいし、例えば携帯型オーディオプレーヤ２側にて用意したものを、ブルートゥースの通信により、携帯電話装置１側で受信し、この受信したガイド音声を送信するようにしてもよい。
そして、この後は、ステップＳ１０５の手順として示すように、電話回線から受信取得される受話音声としてのオーディオ信号を、ブルートゥース通信により、携帯型オーディオプレーヤ２に対して送信するようにされる。なお、この場合の受話音声としては、相手先が話した留守番電話のメッセージの音声となる。
【００３５】
上記のようにして受話音声の送信を開始すると、携帯電話装置１は、ステップＳ１０６により、相手側の電話から電話回線が切断されたか否かを判別する。ここで、相手からの回線の切断が行われたとして、ステップＳ１０６にて肯定の判別結果が得られたとされると、ステップＳ１０７により、携帯型オーディオプレーヤ２への受話音声の送信を停止させ、さらに次のステップＳ１０８により、相手側からの切断が行われたことを、携帯型オーディオプレーヤ２に対してブルートゥースの通信により通知する。そして、留守番電話のメッセージの受付に対応した動作を終了する。
【００３６】
また、ステップＳ１０６において、相手側からの電話回線の切断が無いとして否定の判別結果が得られた場合には、ステップＳ１０９の手順を行う。
ステップＳ１０９は、携帯型オーディオプレーヤ２側からの留守番電話のメッセージの録音時間が経過（タイムオーバー）した旨の通知が受信されたか否かを判別するもので、ここで否定の判別結果が得られたのであれば、ステップＳ１０５に戻るようにされる。つまり、受話音声の送信を継続させる。
これに対して、ステップＳ１０９にてタイムオーバーの通知を受信したことが判別されたのであれば、ステップＳ１１０により、携帯型オーディオプレーヤ２への受話音声の送信を停止させるとともに、ステップＳ１１１により、携帯電話装置１側から、電話回線の接続を切断する。これにより、留守番電話のメッセージの受付に対応した動作を終了する。
【００３７】
先のステップＳ１０５の手順による、携帯電話装置１からの受話音声のオーディオ信号の送信が開始されるのに応じて、携帯型オーディオプレーヤ２では、ステップＳ２０７、Ｓ２０８により、この受話音声のオーディオ信号を受信し、受信したオーディオ信号を、記憶部２３に書き込むようにして記憶（記録）させていくための処理を実行する。
また、このようにして、受信した受話音声の書き込みを実行しているときには、ステップＳ２０９により、携帯電話装置１側のステップＳ１０８の手順により送信されてくる、相手の電話からの切断があったことの通知が受信されるか否かを判別するようにされている。
ステップＳ２０９にて肯定の判別結果が得られた場合には、そのままステップＳ２１２の手順に移行することになるが、否定の判別結果が得られた場合には、ステップＳ２１０に進む。
【００３８】
ステップＳ２１０においては、留守番電話のメッセージの録音時間についてタイムオーバーとなったか否かについての判別を行うようにされる。
本実施の形態としては、前述もしたように、残容量に比較的余裕があるとされる記憶部２３をメッセージの記憶に用いることで、従来から知られている携帯電話装置の留守番電話機能と比較すれば、メッセージの録音時間（データサイズ）の制限は緩くなる。しかしながら、これを無制限としてしまうことも、いたずらに記憶部２３の記憶容量を圧迫することになり、また、留守番電話メッセージとして話す内容も冗長になりがちになることから、かえって好ましくないと考えられる。そこで、本実施の形態としては、これまでよりも長い録音時間ではあるが、留守番電話メッセージの録音時間を予め設定しておくようにされる。この設定時間は、例えばデフォルトで固定的に決められたものでもよいし、例えばユーザにより変更設定可能とされてもよい。
【００３９】
ステップＳ２１０において、留守番電話メッセージの録音時間は未だタイムオーバーではないとして否定の判別結果が得られた場合には、ステップＳ２０７に戻ることで、受話音声のオーディオ信号の受信と記憶部２３への書き込みを継続して実行する。これに対して、ステップＳ２１０において留守番電話メッセージの録音時間がタイムオーバーになったとして肯定の判別結果が得られたとされると、ステップＳ２１１により、携帯電話装置１に対して、留守番電話メッセージの録音時間がタイムオーバーになったことを、ブルートゥースの通信により通知する。この通知は、携帯電話装置１側に受信されることで、前述したステップＳ１０９の判別結果を肯定結果とする。
ステップＳ２１１の手順を実行したとされると、ステップＳ２１２の手順に進む。
【００４０】
ステップＳ２１２においては、記録終了処理を実行する。この記録終了処理においては、ステップＳ２０８の手順としての記憶部２３へのオーディオ信号データの書き込みを終了させると共に、この記録されたオーディオ信号データが、例えば１楽曲単位のオーディオデータとして管理されるように、管理情報の更新を行うようにされる。
そして、ここまでの手順が終了したとされると、ステップＳ２１３により留守番電話モードを解除するようにされる。
【００４１】
なお、例えば、留守番電話メッセージを携帯型オーディオプレーヤ側で録音するための手順としては、図２に示したものに限定されるものではなく、適宜変更されてよい。
また、本実施の形態では、留守番電話のメッセージを録音する情報記憶装置として、携帯型オーディオプレーヤを例に挙げているが、例えばブルートゥースなどの近距離無線通信が可能であって、さらに、相応に容量の大きい記憶デバイスを備えるような機器であれば、本願発明の適用が可能である。例えば、ブルートゥース通信機能を備える携帯型のビデオカメラ装置、デジタルスチルカメラなどにも適用できる。また、携帯電話と本願発明の情報記憶装置との間の無線通信としても、ブルートゥースの規格に限定されるものではなく、既存の規格、又は将来実現化される規格が採用されてよいものである。
【図面の簡単な説明】
【００４２】
【図１】本発明の実施の形態の携帯型オーディオプレーヤと携帯電話装置の構成例を示すブロック図である。
【図２】携帯電話装置が受けた留守番電話のメッセージ音声を、携帯型オーディオプレーヤにより録音するための手順を示すフローチャートである。
【符号の説明】
【００４３】
１  携帯電話装置、２  携帯型オーディオプレーヤ、１０  アンテナ、１１  ＲＦ部、１２  ベースバンド部、１３  スピーカ、１４  マイクロフォン、１５  制御部、１６  ブルートゥースインターフェイス部、１７  操作部、１８  表示部、２１  データ入出力端子、２２  データインターフェイス、２３  記憶部、２４  音声処理部、２５  音声出力端子、２６  マイクロフォン、２７  制御部、２８  ブルートゥースインターフェイス部、２９  操作部、３０表示部
【図１】
2007104184.tif 000003
【図２】
2007104184.tif 000004